(57)【要約】【課題】  複数のポートを同時に切り替え可能で，且つ多チャンネル化が容易な光スイッチを提供する。【解決手段】  光スイッチ１００は，光信号が入出力される結合ポート組１１０と，チャンネルを構成する６つのチャンネルポート組と有する。チャンネルポート組は，光結合位置ごとに配置された光コリメータ１２１，１２２からなる。結合ポート組１１０は２つの光コリメータ１１１，１１２からなり，ステージ１４６上の移動体１４０に載置されており，レール１４２に沿って，チャンネルポート組のいずれかと光結合するように，光結合位置間を移動する。結合ポート組１１０を移動させることにより，２つの光コリメータ１１１，１１２が光結合する対象を同時に切り替えることができる。【選択図】    図１
2005234226.tif 000002
【特許請求の範囲】
【請求項１】
光信号が入出力される複数のポートからなる結合ポート組の光結合の対象を切り替える光スイッチであって，
チャンネルを構成するチャンネルポート組が，複数の光結合位置ごとに配置されたポート群と，
前記チャンネルポート組のいずれかと光結合するように前記光結合位置間を移動する前記結合ポート組と，を備えることを特徴とする光スイッチ。
【請求項２】
前記結合ポート組および前記チャンネルポート組は，前記移動の方向に略垂直な方向に前記ポートがアレイ状に配置されていることを特徴とする請求項１に記載の光スイッチ。
【請求項３】
前記結合ポート組は，光ファイバと，前記光ファイバからの光を平行光にするコリメート手段と，を含むことを特徴とする請求項１または２に記載の光スイッチ。
【請求項４】
光信号が入出力される複数のポートからなる結合ポート組の光結合の対象を切り替える光スイッチであって，
チャンネルを構成する第１のチャンネルポート組が，複数の光結合位置ごとに配置された第１のポート群と，
チャンネルを構成する第２のチャンネルポート組が，前記複数の光結合位置ごとに配置された第２のポート群と，
前記第１のチャンネルポート組のいずれかと光結合するように前記光結合位置間を移動する前記結合ポート組と，
前記結合ポート組と前記第１のチャンネルポート組との間の光路に選択的に挿入されることにより，前記結合ポート組の光結合対象を前記第１のチャンネルポート組から前記第２のチャンネルポート組へ切り替える光路変更手段と，を備えることを特徴とする光スイッチ。
【請求項５】
前記光路変更手段は，平行な２つの反射面を有し，所定の軸線の周りに回転することを特徴とする請求項４に記載の光スイッチ。
【請求項６】
前記光路変更手段は，前記２つの反射面が形成されたプリズムであることを特徴とする請求項５に記載の光スイッチ。
【請求項７】
前記結合ポート組は，光ファイバと，前記光ファイバからの光を平行光にするコリメート手段と，を含むことを特徴とする請求項４〜６のいずれか１項に記載の光スイッチ。
【発明の詳細な説明】
【技術分野】
【０００１】
本発明は，光信号の入出力間接続を切り替える機械式の光スイッチに関する。
【背景技術】
【０００２】
光通信システム等においては，光ファイバにより伝送される光信号の入出力間接続の切り換えが必要であり，この切り換え装置として光スイッチが使用されている。従来の光スイッチとしては，例えば図９に示すものがある。図９に示す光スイッチは，軸１の周りに回転する回転体２と，固定側光ファイバ３と，２つの切り替え側光ファイバ４，５とを有する。回転体２は，円盤形状を有し，その一部は中心から半径方向にわたり空洞となっており，その両端には平行な２つの反射面９，１０が設けられている。固定側光ファイバ３は，回転体２から所定距離離れ，回転体２の一側の軸１上に配置されている。切り替え側光ファイバ４，５は，回転体２から所定距離離れ，回転体２の他側の軸１を中心とする円周上の相異なる位置に配置されている。固定側光ファイバ３，切り替え側光ファイバ４，５と回転体２との間にはそれぞれ，光束を変換する集束性光伝送体６，７，８が配置されている。
【０００３】
図９に示す状態では，固定側光ファイバ３から出射した光は集束性光伝送体６で平行光になった後，反射面９，１０で順次反射して，集束性光伝送体７で集束された後，切り替え側光ファイバ４に入射する。すなわち，固定側光ファイバ３と切り替え側光ファイバ４が光結合されている。この状態から，反射面９が切り替え側光ファイバ５に対向する位置まで回転体２を軸１の周りに回転させると，固定側光ファイバ３から出射した光は切り替え側光ファイバ５に入射し，固定側光ファイバ３と切り替え側光ファイバ５とを光結合できる。上記のように，回転体２を軸１の周りに回転させることにより，固定側光ファイバ３と光結合する切り替え側光ファイバを切り替えることができ，ひいては光信号の接続を切り換えることができる（例えば，下記特許文献１参照）。
【０００４】
【特許文献１】特開昭５３−１４３２４７号公報
【発明の開示】
【発明が解決しようとする課題】
【０００５】
しかしながら，図９に示す光スイッチでは，１つの固定側光ファイバ３の光結合対象を切り替えるものである。切り替え側光ファイバを増やすことは可能でも，固定側光ファイバを増やすことはできないため，切り替えられるポートは１つしかない。このように，図９に示す光スイッチでは，複数のポートを同時に切り替えるということはできないという問題があった。また，光信号のチャンネル数を増やすために切り替え側光ファイバを増やそうとすると，同一円周上に多数の切り替え側光ファイバを配置することになる。そのためには回転体の径を大きくする必要があり，極端に装置が大型化してしまい，容易に多チャンネル化を進められないという問題があった。
【０００６】
そこで，本発明は，このような問題に鑑みてなされたもので，その目的とするところは，複数のポートを同時に切り替え可能で，且つ多チャンネル化が容易な光スイッチを提供することにある。
【課題を解決するための手段】
【０００７】
上記課題を解決するために，本発明のある観点によれば，光信号が入出力される複数のポートからなる結合ポート組の光結合の対象を切り替える光スイッチであって，チャンネルを構成するチャンネルポート組が，複数の光結合位置ごとに配置されたポート群と，チャンネルポート組のいずれかと光結合するように光結合位置間を移動する結合ポート組と，を備えることを特徴とする光スイッチが提供される。かかる構成によれば，結合ポート組が各光結合位置へ移動することにより，各光結合位置でのチャンネルポート組と光結合でき，光結合の対象を切り替えることができる。結合ポート組が有する複数のポートの光結合の対象を同時に切り替えることができる。多チャンネル化の場合は，結合ポート組の移動経路に応じて光結合位置およびチャンネルポート組を増やせばよく，従来のように徒に装置が大型化することはない。
【０００８】
その際に，結合ポート組およびチャンネルポート組は，移動の方向に略垂直な方向にポートがアレイ状に配置されているようにしてもよい。このように，アレイ状の多段構造とすることで，ポート数を容易に増加させることができる。また，移動の方向に略垂直な方向に多段構造を構成すれば，移動経路を延長する必要がなく，ポート数が増加しても装置をコンパクトに構成することができる。
【０００９】
上記課題を解決するために，本発明の別の観点によれば，光信号が入出力される複数のポートからなる結合ポート組の光結合の対象を切り替える光スイッチであって，チャンネルを構成する第１のチャンネルポート組が，複数の光結合位置ごとに配置された第１のポート群と，チャンネルを構成する第２のチャンネルポート組が，複数の光結合位置ごとに配置された第２のポート群と，第１のチャンネルポート組のいずれかと光結合するように光結合位置間を移動する結合ポート組と，結合ポート組と第１のチャンネルポート組との間の光路に選択的に挿入されることにより，結合ポート組と光結合対象を第１のチャンネルポート組から第２のチャンネルポート組へ切り替える光路変更手段と，を備えることを特徴とする光スイッチが提供される。かかる構成によれば，光路変更手段が光路に挿入されていないときは，結合ポート組は第１のチャンネルポート組と光結合し，光路変更手段が光路に挿入されたときは，結合ポート組は第２のチャンネルポート組と光結合する。このようにして，１つの光結合位置で第１の結合用ポートと第２の結合用ポートとの切り替えを行う。結合ポート組の移動と，光路変更手段の挿脱とを組み合わせることにより，結合ポート組の光結合の対象を増やすことができ，チャンネル数を倍増できる。
【００１０】
また，光路変更手段は，平行な２つの反射面を有し，所定の軸線の周りに回転するように構成してもよい。平行な２つの反射面の一方の反射面に入射した光線がその反射面で反射され，その後他方の反射面で反射されて出射する際，この入射光線と出射光線は平行になる。よって，上記構成の光路変更手段に対する光信号の経路としては平行な２つの経路を考慮すればよい。また，光路変更手段を軸線の周りに回転させて移動させることで，光路に挿脱するように構成できる。
【００１１】
ここで，光路変更手段として，平行な２つの反射面が形成されたプリズムを用いてもよい。このようなプリズムを作製するのは比較的容易である。また，この場合，プリズム１部品を所定位置に配置すれば，同時に２つの反射面も所定位置に配置されたことになるため，部品の実装が容易である。一方，プリズムの代わりに，分離された２つのミラーを用いる場合には，ミラー２部品を所定位置に配置し，かつ互いが平行になるよう高精度に配置する必要があり，その実装精度を確保するのは難しい。
【００１２】
上記記載の光スイッチにおいて，結合ポート組は，光ファイバと光ファイバからの光を平行光にするコリメート手段とを含むように構成してもよい。かかる構成によれば，結合ポート組からの出射光は平行光となり，また，結合ポート組と外部との光伝送を光ファイバで行うことができる。
【発明の効果】
【００１３】
以上のように本発明の光スイッチによれば，複数のポートを同時に切り替えることができ，且つ装置を極端に大型化する必要がないため容易に多チャンネル化を実現することができる。
【発明を実施するための最良の形態】
【００１４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１５】
本発明の典型的な態様にかかる光スイッチは，光信号が入出力される複数のポートからなる結合ポート組の光結合の対象を切り替えるものである。結合ポート組の光結合の対象として，チャンネルを構成するチャンネルポート組を有し，チャンネルポート組は，複数の光結合位置ごとに配置されてポート群を構成している。結合ポート組を各光結合位置に移動させることにより，光結合の対象となるチャンネルポート組を切り替えることができる。
【００１６】
図１，図２を参照しながら，本発明の第１の実施の形態にかかる光スイッチについて説明する。図１，図２はそれぞれ，本発明の第１の実施の形態にかかる光スイッチ１００の構成を示す平面図，部分側面図である。光スイッチ１００は，光信号が入出力される２つのポートからなる結合ポート組１１０と，６組のチャンネルポート組からなるポート群１２０とを備える。以下全ての実施の形態においては，各ポートは全て光コリメータにより構成される。光コリメータは，光ファイバと，光ファイバの一端に配置され光ファイバからの光を平行光にするコリメート手段としてのレンズ（不図示）とを有し，光ファイバの他端はそれぞれコネクタ１０１に接続されている。以下では，光コリメータの端部のうち，コネクタ１０１に接続されておらず，開放されている側の端を入出射端とよぶ。
【００１７】
中央に配置された２つの光コリメータ１１１，１１２は，結合ポート組１１０を構成するものであり，入出射端が逆向きとなるよう背面対向配置されて，移動体１４０上に固定されている。移動体１４０は，光コリメータ１１１，１１２を載置した状態でレール１４２に沿った経路を移動し，６箇所の光結合位置の間を移動し，光結合位置で停止できる。図１では，その光結合位置の１つに位置した移動体１４０を実線で示し，他の５つの光結合位置を点線の移動体１４０および光コリメータ１１１，１１２の一部で表している。移動体１４０は，例えばモータやモータの駆動回路等を含む移動体駆動手段１４４により駆動される。移動体１４０およびレール１４２は，ステージ１４６上に配置されている。
【００１８】
また，６箇所の光結合位置にはそれぞれ，一側に６つの光コリメータ１２１（１２１−１，１２１−２，１２１−３，１２１−４，１２１−５，１２１−６）が配置され，他側に６つの光コリメータ１２２（１２２−１，１２２−２，１２２−３，１２２−４，１２２−５，１２２−６）が配置されている。このうち，同一の光結合位置にある２つの光コリメータは，チャンネルを構成するチャンネルポート組である。例えば，光コリメータ１２１−１，１２２−１が１つのチャンネルを構成するチャンネルポート組である。各光結合位置において，光コリメータ１１１は光コリメータ１２１と対向して光結合し，光コリメータ１１２は光コリメータ１２２と対向して光結合する。光コリメータ１２１，１２２はそれぞれ，レール１４２の伸長方向と同方向に並列配置されており，図２は，この光スイッチ１００を列方向から見た部分側面図を示す。図２では，紙面に垂直な方向にレール１４２が伸長している。光コリメータ１１１，１１２，光コリメータ１２１，１２２は全て入出射端が同一平面上にあるように配置されている。上記光コリメータは全て筐体１０２に配設され，コネクタ１０１を介して光信号の入出力を行う。
【００１９】
上述したように光スイッチ１００は，２つのポートからなる結合ポート組と，６箇所の光結合位置に配置された６組のチャンネルポート組とを有する。つまり，光スイッチ１００は，２つのスイッチ機能と，６つのチャンネル機能を有する。
【００２０】
上記構成を有する光スイッチ１００を動作させるときは，移動体１４０をレール１４２に沿って移動させて，所望のチャンネルポート組が位置する光結合位置で停止させる。各光結合位置で，結合ポート組の２つの光コリメータ１１１，１１２は，チャンネルポート組の２つの光コリメータと同時に光結合できる。このようにして，光結合位置に結合ポート組を移動させることにより，２つの光コリメータ１１１，１１２が光結合する対象を同時に切り替えることができる。
【００２１】
上記構成を有する光スイッチ１００の応用例について図３を参照しながら説明する。図３では，光スイッチ１００は外形のみ表示している。図３は，６つの被測定物１９０を同一の測定機で測定する場合の例を示す。各被測定物１９０には信号線が接続され，それらはコネクタ１０１を経由してそれぞれ，各チャンネルポート組に接続されている。また，測定機１９２は２つの信号線が接続され，それらはコネクタ１０１を経由して結合ポート組に接続されている。
【００２２】
測定したい被測定物が接続されているチャンネルポート組がある光結合位置まで結合ポート組を移動させることにより，所望の被測定物１９０を測定することができる。また，図３に示す状態で，結合ポート組を各光結合位置まで順次移動させることにより，６つの被測定物１９０を効率的に同一の測定機で容易に測定することができる。よって，光スイッチ１００は，例えば，光部品の量産製造工程における性能チェックの測定等に有効である。
【００２３】
以上より，本実施の形態によれば，移動体上の２つのポートを有する結合ポート組を光結合位置まで移動させることにより，２つのポートが所望のチャンネルポート組と同時に光結合するよう切り替えることができる。チャンネル数を増やす場合は，例えば，チャンネルポート組を増やし，その分レール１４２を延長すればよい。この場合，チャンネル増に伴う装置サイズの変更はレール１４２の延長分だけなので，装置の大型化を抑えることができる。また，この場合，チャンネル数増加にあたり，厳密な実装精度が要求されるわけではないので，低コストで容易にチャンネル数の増加を実現できる。さらに，結合ポート組が移動する構成を採用しているため，チャンネル数が変動しても，結合ポート組の光コリメータと結合対象のチャンネルポート組の光コリメータとの距離はほぼ一定となり，距離の変動による結合損失が生じることもなく，安定した光結合を確保できる。また，結合ポート組と外部との信号伝送は，光ファイバを介して行うため，結合ポート組の移動により，結合ポート組と外部との間で伝送損失が生じることもない。
【００２４】
次に，図４，図５を参照しながら，本発明の第２の実施の形態にかかる光スイッチについて説明する。本実施の形態は，スイッチ数の増加を意図したものである。第１の実施の形態の光スイッチ１００は２つのスイッチの機能を有していたが，本実施の形態の光スイッチは８つのスイッチの機能を有する。第１の実施の形態と比べると本実施の形態では，結合ポート組およびチャンネルポート組を構成するポート数が増加している。その他の構成は同様であるため，以下，この点に注目して説明し，第１の実施の形態と同様の構成については一部重複説明を省略する。
【００２５】
図４，図５は，本発明の第２の実施の形態にかかる光スイッチの構成を示す図である。図４は，本発明の第２の実施の形態にかかる光スイッチを，図２同様に列方向から見た図であり，紙面に垂直な方向にレール１４２が伸長している。図５は，図４のＡ−Ａにおける断面図であり，移動体駆動手段１４４の図示は省略している。本実施の形態の光スイッチでは，第１の実施の形態の光コリメータ１１１に代わり４つの光コリメータ２１１，光コリメータ１１２に代わり４つの光コリメータ２１２が配設されて，合計８つの光コリメータが結合ポート組を構成している。４つの光コリメータ２１１は，各光コリメータの入出射端が移動方向に垂直な方向にアレイ状に配置された４段構造を有し，４つの光コリメータ２１２もまた同様の構成を有する。光コリメータ２１１，２１２はここではそれぞれステージ１４６上面に垂直な方向（鉛直方向）に多段構造となるよう配置されている。本実施の形態では，第１の実施の形態の移動体１４０に代わり，結合ポート組が上記構成となるよう配列可能な移動体２４０が用いられる。
【００２６】
また，本実施の形態の光スイッチでは，第１の実施の形態の光コリメータ１２１，１２２に代わりそれぞれ，光コリメータ２２１，２２２が結合用ポートとなっている。光コリメータ２２１は，図４に示すように，光結合位置ごとに，４つの光コリメータ２１１と光結合するように，その入出射端が移動方向に垂直な方向にアレイ状に配置された４つの光コリメータが６組ずつステージの左側に配置されて構成される。光コリメータ２２２は，図４に示すように，光結合位置ごとに，４つの光コリメータ２１２と光結合するように，その入出射端が移動方向に垂直な方向にアレイ状に配置された４つの光コリメータが６組ずつステージの右側に配置されて構成される。すなわち，本実施の形態は，第１の実施の形態に対して，ステージ１４６面の垂直方向に光コリメータを４段に積層した構成を有する。上述したように本実施の形態の光スイッチは，８つのポートからなる結合ポート組と，６箇所の光結合位置に配置された６組のチャンネルポート組とを有する。つまり，本実施の形態の光スイッチは，８つのスイッチ機能と，６つのチャンネル機能を有する。
【００２７】
本実施の形態においても，第１の実施の形態と同様の効果が得られる。さらに本実施の形態では，多段構造を採用して，結合ポート組およびチャンネルポート組に含まれる光コリメータの数を増やすことにより，同時に光結合を切り替えることのできるスイッチ数を増加させている。
【００２８】
次に，図６，図７，図８Ａ，図８Ｂを参照しながら，本発明の第３の実施の形態にかかる光スイッチ３００について説明する。本実施の形態は，チャンネル数の増加を意図したものである。チャンネル数の増加は，第１の実施の形態で述べたようにレール１４２を延長してチャンネルポート組を増加させてもよいが，本実施の形態の光スイッチ３００では，光路変更手段を用いることにより，レール１４２を延長することなくチャンネル数の増加を実現する。以下，この点に注目して説明し，第１の実施の形態と同様の構成については一部重複説明を省略する。
【００２９】
図６は，本発明の第３の実施の形態にかかる光スイッチ３００の構成を示す平面図である。図７は，本実施の形態にかかる光スイッチの構成を示す部分側面図であり，第１の実施の形態の図２同様に列方向から見た図であり，紙面に垂直な方向にレール１４２が伸長している。光スイッチ３００は，２つのポートからなる結合ポート組と，１２組のチャンネルポート組からなるポート群とを備える。結合ポート組は，第１の実施の形態の光コリメータ１１１，１１２を光コリメータ３１１，３１２に置換したものであり，これらの構成，配置は第１の実施の形態と全く同様である。また，結合ポート組が載置され，結合ポート組を移動させるための移動体３４０も，第１の実施の形態と同様にレール１４２上を移動し，６つの光結合位置で停止する。
【００３０】
本実施の形態では，第１の実施の形態の光コリメータ１２１，１２２に代わり，それぞれ光コリメータ３２１，３２２が配置されている。光コリメータ３２１，３２２の構成，配置は光コリメータ１２１，１２２と全く同じであり，光コリメータ３２１，３２２は合計１２個の光コリメータからなるものである。さらに，本実施の形態では，光コリメータ３２１，３２２をそのまま上方に平行移動させて配置したものと同じ構成，配置を有する光コリメータ３３１，３３２が配設されている。光コリメータ３３１，３３２もまた合計１２個の光コリメータからなるものである。同一の光結合位置にある対向する２つの光コリメータは，チャンネルを構成するチャンネルポート組である。光スイッチ３００は，全体として１２組のチャンネルポート組からなり，ステージ１４６面の垂直方向にチャンネルポート組を上下２段に積層した構成を有する。なお，図６は平面図であり，積層された２つの光コリメータは重なって下層の光コリメータ３２１，３２２は見えなくなるため，上層の光コリメータ３３１，３３２のみ図示している。
【００３１】
本実施の形態では，第１の実施の形態の移動体１４０に代わり，図７に示すように回転軸３４８が設けられた移動体３４０が用いられる。回転軸３４８の先端には２つのプリズム３５１，３５２が設けられている。プリズム３５１，３５２は光路変更手段として機能するものである。プリズム３５１は光コリメータ３１１と光コリメータ３２１，３３１との間に位置し，プリズム３５２は光コリメータ３１２と光コリメータ３２２，３３２との間に位置している。プリズム３５１，３５２は共に，回転軸３４８を軸線としてその周りを回転可能であり，平行な２つの反射面が形成されている。図７に示すように，一方の反射面に入射した光がこの２つの反射面で順次反射されて他方の反射面から出射するとき，入射光線と出射光線は平行になる。
【００３２】
図８Ａ，図８Ｂは，図７のＢ−Ｂにおける断面図であり，プリズム３５１を光路に挿脱して，光路を変更する様子を説明するための図である。図８Ａは，プリズム３５１が光路に挿入されていないときの状態を示す。図８Ａでは，光コリメータ３１１は光結合位置にあり，下段のチャンネルポート組の光コリメータ３２１の１つと対向して光結合している。図８Ｂは，図８Ａの状態からプリズム３５１を回転させて光コリメータ３１１と対向していたチャンネルポート組の光コリメータとの間の光路にプリズム３５１の反射面を挿入させた状態を示す。図８Ｂの状態では，光コリメータ３１１から出射した光は図７に示すようにプリズム３５１の２つの反射面で順次反射した後，光コリメータ３３１の１つに入射し，光コリメータ３１１は上段のチャンネルポート組の光コリメータ３３１の１つと光結合する。
【００３３】
このように，結合ポート組が移動しなくても，プリズム３５１を光路に対して挿入・離脱させることにより，光コリメータ３１１からの光信号の光路を変更して，光コリメータ３１１が光結合する対象を切り替えることができる。プリズム３５２についても，プリズム３５１と同様であり，結合ポート組が移動しなくても，プリズム３５２を光路に対して挿入・離脱させることにより，光コリメータ３１２が光結合する対象を切り替えることができる。下段の６組のチャンネルポート組は，プリズム３５１が光路から離脱しているときに結合ポート組と光結合するポート群であり，上段の６組のチャンネルポート組は，プリズム３５１が光路に挿入されているときに結合ポート組と光結合するポート群であるといえる。なお，図８Ａ，図８Ｂに示す状態のプリズム３５１の位置を再現性良く決めるために，プリズム３５１の回転を規制するストッパーを設けてもよい。
【００３４】
上記構成を有する光スイッチ３００を動作させるときは，移動体１４０をレール１４２に沿って移動させて，結合ポート組を所定の光結合位置まで移動させる。移動後，例えば結合ポート組を下段のチャンネルポート組と光結合させたいときは，プリズムを光路から離脱させる。結合ポート組を上段のチャンネルポート組と光結合させたいときは，プリズムを光路に挿入する。上段，下段のチャンネルポート組を選択することにより，１つの光結合位置で２チャンネルの切り替えを行うことができる。光スイッチ３００は，結合ポート組の移動とプリズムの光路への挿脱とを組み合わせて光結合対象の切り替えを行う。つまり，本実施の形態の光スイッチ３００は，２つのスイッチ機能と，１２個のチャンネルの機能を有する。
【００３５】
以上より，本実施の形態によれば，第１の実施の形態と同様の効果が得られ，さらにチャンネル数の増加という効果が得られる。本実施の形態では，レール１４２を伸長せずに，ステージ１４６面の垂直な方向に光コリメータを積層しているため，光スイッチの底面積は第１の実施の形態と同じにでき，多チャンネルでコンパクトな光スイッチを実現できる。
【００３６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００３７】
なお，上記実施の形態では，結合ポート組の光コリメータを背面対向させ，結合用ポートの光コリメータをステージの両側に配置したが，これに限定されるものではなく，各光コリメータの配置は別の形態のものも考えられ，例えば，結合用ポートの光コリメータを全て一側に配置するようにしてもよい。また，光路変更手段として，上記の実施の形態の１つのプリズムの代わりに，平行に配置された２つのミラーを用いてもよい。また，結合ポート組，結合用ポートとなる光コリメータの数や積層する段数は上記説明のものに限定されず，任意に決めることができる。
【産業上の利用可能性】
【００３８】
本発明は，光信号の入出力間接続を切り替える機械式の光スイッチに適用可能であり，例えば，光部品の量産製造工程における各種測定に用いられる光スイッチに適用可能である。
【図面の簡単な説明】
【００３９】
【図１】本発明の第１の実施の形態にかかる光スイッチの構成を示す平面図である。
【図２】図１の光スイッチの構成を示す部分側面図である。
【図３】図１の光スイッチの応用例を示す図である。
【図４】本発明の第２の実施の形態にかかる光スイッチの構成を示す部分側面図である。
【図５】図４のＡ−Ａにおける断面図である。
【図６】本発明の第３の実施の形態にかかる光スイッチの構成を示す平面図である。
【図７】図６の光スイッチの構成を示す部分側面図である。
【図８Ａ】図６のＢ−Ｂにおける断面図であり，光路変更を説明する図である。
【図８Ｂ】図６のＢ−Ｂにおける断面図であり，光路変更を説明する図である。
【図９】従来の光スイッチの構成を示す断面図である。
【符号の説明】
【００４０】
１      軸
２      回転体
３      固定側光ファイバ
４，５      切り替え側光ファイバ
６，７，８      集束性光伝送体
９，１０      反射面
１００      光スイッチ
１０１      コネクタ
１０２      筐体
１１０      結合ポート組
１１１，１１２，１２１，１２２      光コリメータ
１２０      ポート群
１４０      移動体
１４２      レール
１４４      移動体駆動手段
１４６      ステージ
１９０      被測定物
１９２      測定機
３４８      回転軸
３５１，３５２      プリズム
【図１】
2005234226.tif 000003
【図２】
2005234226.tif 000004
【図３】
2005234226.tif 000005
【図４】
2005234226.tif 000006
【図５】
2005234226.tif 000007
【図６】
2005234226.tif 000008
【図７】
2005234226.tif 000009
【図８Ａ】
2005234226.tif 000010
【図８Ｂ】
2005234226.tif 000011
【図９】
2005234226.tif 000012